(57)【要約】【課題】複数の書き込みピッチを切り替えて画像データに補間処理を施して画像記録することである。【解決手段】読み取りピッチの異なる画像生成装置２１〜２３，画像生成装置としての画像読取装置３１，３２により各固有の読み取りピッチで生成された画像データが画像記録装置１０に送信され、画像記録装置１０において、画像生成装置種別情報に対応して設定された書き込みピッチ情報と、受信した画像データを送信した画像生成装置種別情報とに基づいて当該画像データの画像記録に用いる書き込みピッチが決定され、当該書き込みピッチにより当該画像データが補間されて記録媒体上に記録される。【選択図】図１
2005074843.tif 000002
【特許請求の範囲】
【請求項１】
画像生成装置と画像記録装置とが接続され、前記画像生成装置から入力された画像データを、前記画像記録装置で記録媒体に画像記録する医用画像記録システムであって、
前記画像記録装置は、
複数の異なる書き込みピッチで画像記録可能で、当該複数の書き込みピッチのなかから選択された書き込みピッチで記録媒体に画像記録する画像記録部と、
画像データを生成する画像生成装置毎に、書き込みピッチ情報として、画像記録時に使用する書き込みピッチを前記複数の書き込みピッチのなかから設定する設定部と、
前記設定部で設定された書き込みピッチ情報、及び、入力された画像データを生成した画像生成装置種別情報に基づいて、当該画像データの記録に使用する書き込みピッチを決定する決定部と、
前記決定部により決定された書き込みピッチで、前記画像データを前記画像記録部に画像記録させる制御部と、を備えることを特徴とする医用画像記録システム。
【請求項２】
前記設定部により画像生成装置と関連付けて設定された書き込みピッチ情報を記憶する記憶部を備え、
前記決定部は、前記記憶部により記憶された書き込みピッチ情報、及び、入力された画像データを生成した画像生成装置種別情報に基づいて、当該画像データの画像記録に用いる書き込みピッチを決定することを特徴とする請求項１に記載の医用画像記録システム。
【請求項３】
画像生成装置種別情報に応じて書き込みピッチを決定する書き込みピッチ変更モードと、画像生成装置種別情報によらず所定の書き込みピッチを決定する書き込みピッチ不変モードとのいずれか一方を設定するモード設定部を備え、
前記決定部は、前記モード設定部により設定されたモードと、前記設定部により設定された書き込みピッチ情報と、画像データを入力した画像生成装置の画像生成装置種別情報とに基づいて、当該画像データの画像記録に用いる書き込みピッチを決定することを特徴とする請求項１に記載の医用画像記録システム。
【請求項４】
前記設定部は、少なくとも一つの画像生成装置の種別に対して複数の書き込みピッチの書き込みピッチ情報を設定し、
前記決定部は、前記画像データを入力した画像生成装置種別情報に対する書き込みピッチ情報が複数の書き込みピッチを示す場合に、他の条件情報に基づいて前記複数の書き込みピッチから当該画像データの画像記録に用いる書き込みピッチを決定することを特徴とする請求項１に記載の医用画像記録システム。
【請求項５】
画像生成装置と画像記録装置とが接続され、前記画像生成装置から入力された画像データを、前記画像記録装置で記録媒体に画像記録する医用画像記録システムであって、
前記画像生成装置から入力される画像データに、当該画像データの画像記録に用いる書き込みピッチに関連する情報を有する付帯情報が含まれ、
複数の異なる書き込みピッチで画像記録可能で、当該複数の書き込みピッチのなかから選択された書き込みピッチで記録媒体に画像記録する画像記録部と、
前記入力された画像データの付帯情報に基づいて、前記複数の書き込みピッチのなかから当該画像データの画像記録に用いる書き込みピッチを決定する決定部と、
前記決定部により決定された書き込みピッチで、前記画像データを前記画像記録部に画像記録させる制御部と、を備えることを特徴とする医用画像記録システム。
【請求項６】
付帯情報に応じて画像データの画像記録に用いる書き込みピッチを決定する書き込みピッチ変更モードと、付帯情報によらず所定の書き込みピッチを決定する書き込みピッチ不変モードとのいずれか一方を設定するモード設定部を備え、
前記決定部は、前記モード設定部により設定されたモードと、前記入力された画像データの付帯情報とに基づいて、当該画像データの画像記録に用いる書き込みピッチを決定することを特徴とする請求項５に記載の医用画像記録システム。
【請求項７】
前記付帯情報は、被写体の撮影条件を示す撮影条件情報と、画像データの用途を示す情報と、入力された画像データを生成した画像生成装置の読み取りピッチ情報と、画像データの補間倍率情報とのうちの少なくとも一つを含むことを特徴とする請求項５又は６に記載の医用画像記録システム。
【請求項８】
前記複数の書き込みピッチは、少なくとも３種類であることを特徴とする請求項１から７のいずれか一項に記載の医用画像記録システム。
【請求項９】
前記制御部は、前記画像記録部に、前記画像データとともに、当該画像データの画像記録に用いる書き込みピッチを記録媒体に記録させることを特徴とする請求項１から８のいずれか一項に記載の医用画像記録システム。
【請求項１０】
前記画像記録部は、光熱銀塩方式により画像データを記録媒体に記録することを特徴とする請求項１から９のいずれか一項に記載の画像記録システム。
【発明の詳細な説明】
【技術分野】
【０００１】
本発明は、記録媒体に医用画像を記録する医用画像記録システムに関する。
【背景技術】
【０００２】
近年、銀塩感光材料からなる放射線写真フィルムを使用しないで医用放射線画像情報を得る方法が工夫されるようになった。例えば、揮尽性蛍光体を主体とするイメージングプレートを用い、放射線画像を一旦蓄積後、励起光を用いて揮尽発光光として取り出し、この光を光電変換することによって画像信号を得る放射線画像読取装置（Computed Radiography、以後ＣＲと略す）が普及してきている。
また、最近では、放射線蛍光体や放射線光導電体とＴＦＴスイッチング素子などの２次元半導体検出器を組み合わせて放射線画像情報を読み取る装置（Flat Panel Detector、以後ＦＰＤと略す）も提案されている。
【０００３】
これらの医用画像を診断する際には、透過記録媒体及び反射記録媒体の少なくとも一方に画像情報を記録してハードコピーの形で観察する方法が多く用いられている。医用画像情報を記録媒体に記録する医用画像記録装置としては、銀塩記録材料を用いた透過記録媒体上にレーザ露光することによって画像を記録する方式がよく用いられている。この方式によれば、モノクロ多階調の画像を優れた階調性で描写できるとともに透過記録媒体に記録して透過光で観察することによって高い診断性能が得られる。
【０００４】
医用画像記録装置に関しても、種々の方式が開発されており、従来の湿式処理を必要とする銀塩記録材料を用いる以外に、サーマルヘッドやヒートモードレーザを用いる感熱記録装置、感光性熱現象記録材料や感光熱記録材料を用いて感光熱発色画像記録を行う装置も知られている。
【０００５】
ＣＲやＦＰＤによって得られた画像データを用いて画像記録を行う医用画像記録装置も種々開発されてきている。ＣＲやＦＰＤによって読み取られた画像は、従来の単純Ｘ線撮影の習慣から被写体である患部と等しい大きさ（以後、ライフサイズという）で出力することが要求されることが多い。
ここで、患部とライフサイズの画像を出力する際に、ＣＲによる画像読み取りの画素サイズと、診断画像をハードコピーして出力する画像記録装置における記録画素サイズとが異なる場合には、補間拡大処理が必要となる。例えば、読み取り画素サイズが８７．５［μｍ］で、画像記録装置における記録画素サイズが８０［μｍ］である場合には、ライフサイズの画像を出力するためには、約１．１０９倍の補間拡大処理が必要となる。
【０００６】
一般的にスプライン補間などによってこのような非整数倍の補間拡大処理を行うと、画像の周波数特性が劣化して、その結果、画像の鮮鋭度が劣化してしまうため、診断画像としては好ましくない。また、レプリケーションで非整数倍の補間拡大処理を行うと、画像の歪みがはっきりと視認されてしまうため、やはり診断画像としては好ましくない。
【０００７】
また、ハードコピー時の記録画素サイズ（書き込みピッチ）が、装置に内蔵のサーマルヘッド分解能で一義的に決まる感熱（サーマル）記録方式で、読取画素サイズ（読み取りピッチ）と記録画素サイズ（書き込みピッチ）とを整数倍の関係にする構成が考えられている（例えば、特許文献１参照）。
【０００８】
これとは別に、複数の画像信号源から入力される画像信号を画像記録装置で画像記録するにあたり、γ特性の異なる複数の画像信号源に対応するγ補正テーブルを記憶し、識別番号の指定により画像信号源に対応するγ補正テーブルを設定し、その画像γ補正テーブルを用いて画像信号を記録する構成が考えられている（例えば特許文献２参照）。
【特許文献１】特開２０００−３３２９９３号公報
【特許文献２】特開平２−６６６２３号公報
【発明の開示】
【発明が解決しようとする課題】
【０００９】
最近は複数のＣＲ装置やＦＰＤ装置と画像記録装置がネットワークで接続されてシステムが構成され、そのシステムが設けられた病院内に読み取りピッチが異なる画像データが混在する状況が発生している。しかし、特許文献１に記載の画像記録装置では、複数の書き込みピッチを切り替えることができず、複数の異なる読み取りピッチの画像を画像劣化なしに出力することができなかった。
【００１０】
また、特許文献２に記載の画像記録装置では、画像データに、当該画像データを生成した画像生成装置に対応するγ補正を施して画像記録する方法が開示されているが、記録画素サイズ（書き込みピッチ）に関する開示は無い。
【００１１】
本発明の課題は、複数の書き込みピッチを切り替えて画像データに補間処理を施して画像記録することである。
【課題を解決するための手段】
【００１２】
上記の課題を解決するために、請求項１に記載の発明は、
画像生成装置と画像記録装置とが接続され、前記画像生成装置から入力された画像データを、前記画像記録装置で記録媒体に画像記録する医用画像記録システムであって、
前記画像記録装置は、
複数の異なる書き込みピッチで画像記録可能で、当該複数の書き込みピッチのなかから選択された書き込みピッチで記録媒体に画像記録する画像記録部と、
画像データを生成する画像生成装置毎に、書き込みピッチ情報として、画像記録時に使用する書き込みピッチを前記複数の書き込みピッチのなかから設定する設定部と、
前記設定部で設定された書き込みピッチ情報、及び、入力された画像データを生成した画像生成装置種別情報に基づいて、当該画像データの記録に使用する書き込みピッチを決定する決定部と、
前記決定部により決定された書き込みピッチで、前記画像データを前記画像記録部に画像記録させる制御部と、を備えることを特徴とする。
【００１３】
請求項１に記載の発明によれば、書き込みピッチ情報と、記録対象の画像データを生成した画像生成装置種別情報とに基づいて当該画像データの画像記録に用いる書き込みピッチを決定して、当該書き込みピッチにより記録対象の画像データを補間して画像記録するので、複数の書き込みピッチのうちの画像生成装置の種別に応じた好適な書き込みピッチにより画質劣化を低減して画像データを画像記録することができる。
【００１４】
請求項２に記載の発明は、請求項１に記載の画像記録システムにおいて、
前記設定部により画像生成装置と関連付けて設定された書き込みピッチ情報を記憶する記憶部を備え、
前記決定部は、前記記憶部により記憶された書き込みピッチ情報、及び、入力された画像データを生成した画像生成装置種別情報に基づいて、当該画像データの画像記録に用いる書き込みピッチを決定することを特徴とする請求項１に記載の医用画像記録システム。
【００１５】
請求項２に記載の発明によれば、書き込みピッチ情報を記憶部に記憶するので、書き込みピッチ情報の作成及び変更の負担を軽減することができる。
【００１６】
請求項３に記載の発明は、請求項１に記載の画像記録システムにおいて、
画像生成装置種別情報に応じて書き込みピッチを決定する書き込みピッチ変更モードと、画像生成装置種別情報によらず所定の書き込みピッチを決定する書き込みピッチ不変モードとのいずれか一方を設定するモード設定部を備え、
前記決定部は、前記モード設定部により設定されたモードと、前記設定部により設定された書き込みピッチ情報と、画像データを入力した画像生成装置の画像生成装置種別情報とに基づいて、当該画像データの画像記録に用いる書き込みピッチを決定することを特徴とする。
【００１７】
請求項３に記載の発明によれば、書き込みピッチ変更モード又は書き込みピッチ不変モードを設定するので、画像生成装置の種別に対応する場合と対応しない場合との両方で多様に画像データの画像記録に用いる書き込みピッチを決定できる。
【００１８】
請求項４に記載の発明は、請求項１に記載の画像記録システムにおいて、
前記設定部は、少なくとも一つの画像生成装置の種別に対して複数の書き込みピッチの書き込みピッチ情報を設定し、
前記決定部は、前記画像データを入力した画像生成装置種別情報に対する書き込みピッチ情報が複数の書き込みピッチを示す場合に、他の条件情報に基づいて前記複数の書き込みピッチから当該画像データの画像記録に用いる書き込みピッチを決定することを特徴とする。
【００１９】
請求項４に記載の発明によれば、一つの画像生成装置に対しても他の条件情報に基づいて複数の書き込みピッチから好適な書き込みピッチを決定できる。
【００２０】
請求項５に記載の発明は、
画像生成装置と画像記録装置とが接続され、前記画像生成装置から入力された画像データを、前記画像記録装置で記録媒体に画像記録する医用画像記録システムであって、
前記画像生成装置から入力される画像データに、当該画像データの画像記録に用いる書き込みピッチに関連する情報を有する付帯情報が含まれ、
複数の異なる書き込みピッチで画像記録可能で、当該複数の書き込みピッチのなかから選択された書き込みピッチで記録媒体に画像記録する画像記録部と、
前記入力された画像データの付帯情報に基づいて、前記複数の書き込みピッチのなかから当該画像データの画像記録に用いる書き込みピッチを決定する決定部と、
前記決定部により決定された書き込みピッチで、前記画像データを前記画像記録部に画像記録させる制御部と、を備えることを特徴とする。
【００２１】
請求項５に記載の発明によれば、付帯情報に基づいて複数の書き込みピッチのなかから当該画像データの画像記録に用いる書き込みピッチを決定して、当該書き込みピッチにより記録対象の画像データを補間して記録媒体に画像記録するので、複数の書き込みピッチのうちの付帯情報に応じた好適な書き込みピッチにより画質劣化を低減して画像データを画像記録することができる。
【００２２】
請求項６に記載の発明は、請求項５に記載の画像記録システムにおいて、
付帯情報に応じて画像データの画像記録に用いる書き込みピッチを決定する書き込みピッチ変更モードと、付帯情報によらず所定の書き込みピッチを決定する書き込みピッチ不変モードとのいずれか一方を設定するモード設定部を備え、
前記決定部は、前記モード設定部により設定されたモードと、前記入力された画像データの付帯情報とに基づいて、当該画像データの画像記録に用いる書き込みピッチを決定することを特徴とする。
【００２３】
請求項６に記載の発明によれば、書き込みピッチ変更モード又は書き込みピッチ不変モードを設定するので、付帯情報に対応する場合と対応しない場合との両方で多様に画像データの画像記録に用いる書き込みピッチを決定できる。
【００２４】
請求項７に記載の発明は、請求項５又は６に記載の画像記録システムにおいて、
前記付帯情報は、被写体の撮影条件を示す撮影条件情報と、画像データの用途を示す情報と、入力された画像データを生成した画像生成装置の読み取りピッチ情報と、画像データの補間倍率情報とのうちの少なくとも一つを含むことを特徴とする。
【００２５】
請求項７に記載の発明によれば、付帯情報が、撮影条件情報と、画像データの用途を示す情報と、画像生成装置の読み取りピッチ情報と、画像データの補間倍率情報とのうちの少なくとも一つを含むので、撮影条件、画像データの用途、読み取りピッチ、補間倍率のうちの少なくとも一つに応じた好適な書き込みピッチを決定できる。
【００２６】
請求項８に記載の発明は、請求項１から７のいずれか一項に記載の画像記録システムにおいて、
前記複数の書き込みピッチは、少なくとも３種類であることを特徴とする。
【００２７】
請求項８に記載の発明によれば、複数の書き込みピッチが少なくとも３種類であるので、広範囲の読み取りピッチに対応する画像データに対しても、好適な書き込みピッチにより画質の劣化を低減して補間することができる。
【００２８】
請求項９に記載の発明は、請求項１から８のいずれか一項に記載の画像記録システムにおいて、
前記制御部は、前記画像記録部に、前記画像データとともに、当該画像データの画像記録に用いる書き込みピッチを記録媒体に記録させることを特徴とする。
【００２９】
請求項９に記載の発明によれば、画像データとともに当該画像データの画像記録に用いる書き込みピッチを記録媒体に記録するので、記録媒体上の記録画像の観察者が、記録された書き込みピッチを確認することができる。
【００３０】
請求項１０に記載の発明は、請求項１から９のいずれか一項に記載の画像記録システムにおいて、
前記画像記録部は、光熱銀塩方式により画像データを記録媒体に記録することを特徴とする。
【００３１】
請求項１０に記載の発明によれば、光熱銀塩方式により画像データを記録媒体に記録するので、診断に耐えうる医用画像を記録することができる。
【発明の効果】
【００３２】
請求項１に記載の発明によれば、書き込みピッチ情報と、記録対象の画像データを生成した画像生成装置種別情報とに基づいて当該画像データの画像記録に用いる書き込みピッチを決定して、当該書き込みピッチにより記録対象の画像データを補間して画像記録するので、複数の書き込みピッチのうちの画像生成装置の種別に応じた好適な書き込みピッチにより画質劣化を低減して画像データを画像記録することができる。
【００３３】
請求項２に記載の発明によれば、書き込みピッチ情報を記憶部に記憶するので、書き込みピッチ情報の作成及び変更の負担を軽減することができる。
【００３４】
請求項３に記載の発明によれば、書き込みピッチ変更モード又は書き込みピッチ不変モードを設定するので、画像生成装置の種別に対応する場合と対応しない場合との両方で多様に画像データの画像記録に用いる書き込みピッチを決定できる。
【００３５】
請求項４に記載の発明によれば、一つの画像生成装置に対しても他の条件情報に基づいて複数の書き込みピッチから好適な書き込みピッチを決定できる。
【００３６】
請求項５に記載の発明によれば、付帯情報に基づいて複数の書き込みピッチのなかから当該画像データの画像記録に用いる書き込みピッチを決定して、当該書き込みピッチにより記録対象の画像データを補間して記録媒体に画像記録するので、複数の書き込みピッチのうちの付帯情報に応じた好適な書き込みピッチにより画質劣化を低減して画像データを画像記録することができる。
【００３７】
請求項６に記載の発明によれば、書き込みピッチ変更モード又は書き込みピッチ不変モードを設定するので、付帯情報に対応する場合と対応しない場合との両方で多様に画像データの画像記録に用いる書き込みピッチを決定できる。
【００３８】
請求項７に記載の発明によれば、付帯情報が、撮影条件情報と、画像データの用途を示す情報と、画像生成装置の読み取りピッチ情報と、画像データの補間倍率情報とのうちの少なくとも一つを含むので、撮影条件、画像データの用途、読み取りピッチ、補間倍率のうちの少なくとも一つに応じた好適な書き込みピッチを決定できる。
【００３９】
請求項８に記載の発明によれば、複数の書き込みピッチが少なくとも３種類であるので、広範囲の読み取りピッチに対応する画像データに対しても、好適な書き込みピッチにより画質の劣化を低減して補間することができる。
【００４０】
請求項９に記載の発明によれば、画像データとともに当該画像データの画像記録に用いる書き込みピッチを記録媒体に記録するので、記録媒体上の記録画像の観察者が、記録された読み取りピッチを確認することができる。
【００４１】
請求項１０に記載の発明によれば、光熱銀塩方式により画像データを記録媒体に記録するので、診断に耐えうる医用画像を記録することができる。
【発明を実施するための最良の形態】
【００４２】
以下、図面を参照して本発明に係る第１及び第２の実施の形態を順に説明する。ただし、発明の範囲は、図示例に限定されない。
【００４３】
（第１の実施の形態）
図１〜図４を参照して本発明に係る第１の実施の形態を説明する。先ず、図１及び図２を参照して、本実施の形態の装置構成を説明する。図１に、本実施の形態の医用画像記録システム１００のブロック構成を示す。図２に、画像記録装置１０の内部のブロック構成を示す。
【００４４】
図１に示す医用画像記録システム１００は、例えば、病院、医療施設などに設けられて、患者の患部を撮影した画像データを記録媒体に記録するシステムである。図１に示すように、本実施の形態の医用画像記録システム１００は、画像記録装置１０と、画像生成装置２１，２２，２３と、ＤＩＣＯＭ変換部２４と、ＣＲネットワーク部３０と、ＲＩＳ（Radiography information system）／ＨＩＳ（Hospital information system）４０とを備える。また、画像記録装置１０、画像生成装置２１，２３、ＤＩＣＯＭ変換部２４、ＣＲネットワーク部３０及びＲＩＳ／ＨＩＳ４０は、ネットワークバス５０に通信接続される。
【００４５】
画像生成装置２１は、医用画像と通信との標準規格としてのＤＩＣＯＭ（Digital Imaging and Communication in Medicine）対応の、ＣＴ（Computerized Tomography；コンピュータ断層撮影法）撮影を行う画像生成装置である。画像生成装置２１は、患者の患部の画像データを読み取り画素サイズ（読み取りピッチ）８７．５［μｍ］で読み取り、当該画像データに付帯情報を付加して、ＤＩＣＯＭ対応データ形式で画像データを画像記録装置１０に送信する。
【００４６】
本実施の形態においては、付帯情報として少なくとも画像生成装置を識別するための画像生成装置の種別情報を含むものとする。また、画像生成装置には画像読取装置を含めるものとする。
【００４７】
画像生成装置２２は、ＭＲＩ（Magnetic Resonance Imaging；核磁気共鳴映像法）撮影を行うＤＩＣＯＭ非対応の画像生成装置である。画像生成装置２２は、患者の患部の画像データを読み取りピッチ８７．５［μｍ］で読み取る。
【００４８】
ＤＩＣＯＭ変換部２４は、画像生成装置２２により入力された画像データに患者ＩＤ情報、撮影条件情報などの付帯情報を付加し、ＤＩＣＯＭ対応データ形式に変換し、通信ネットワークに接続された他の機器へ送信する。
【００４９】
画像生成装置２３は、乳房撮影専用でＤＩＣＯＭ対応の画像生成装置である。画像生成装置２４は、患者の乳房の画像データを読み取りピッチ５０［μｍ］で読み取り、当該画像データに付帯情報を付加して、ＤＩＣＯＭ対応データ形式で画像データを画像記録装置１０に送信する。
【００５０】
マンモ画像（マンモグラフィ）は、微少石灰化などの病巣の特徴及び観察方式（読影方式）から、一般に高濃度・高精細にフィルム出力される。
【００５１】
ＣＲネットワーク部３０は、画像読取装置３１，３２と、ＲＩＳ／ＨＩＳ４０などから撮影／検査オーダ情報を取得し、当該検査オーダ情報と、使用するカセッテＩＤ，撮影条件，画像処理条件などとを関連付け、患者撮影した画像を確認可能な少なくとも１個のＷＳ（Work Station）３４と、画像読取装置３１，３２で読み取られた画像の配信先となるＷＳの決定や、画像読取装置３１，３２の制御条件などの配信を行うＪＯＢマネージャ３３とから構成される。
【００５２】
画像読取装置３１は、立位ＣＲ撮影を行う画像読取装置である。画像生成装置２１は、立位の患者の画像データを読み取りピッチ８７．５［μｍ］で読み取り、読み取られた画像データをＷＳ３４へ送信し、ＷＳ３４で表示・確認後、ＷＳ３４は当該画像データに付帯情報を付加して、ＤＩＣＯＭ対応データ形式で画像データを画像記録装置１０に送信する。
【００５３】
画像読取装置３２は、ＣＲ撮影のカセッテを用いる画像読取装置である。先ず、ＲＩＳ／ＨＩＳ４０などからの撮影／検査オーダ情報に基づいて、技師により、病室などにカセッテが運ばれ、患者の患部がＣＲ撮影される。その後、撮影済のカセッテが画像読取装置３２まで運ばれてセットされる。画像読取装置３２は、セットされたカセッテの画像から、マンモ画像用の読み取りピッチ５０［μｍ］又は一般撮影画像用の８７．５［μｍ］で画像データを読み取り、読み取られた画像データをＷＳ３４へ送信し、ＷＳ３４で表示・確認後、ＷＳ３４は当該画像データに付帯情報を付加して、ＤＩＣＯＭ対応データ形式で画像データを画像記録装置１０に送信する。
このように、画像読取装置３１又は３２と、ＷＳ３４との組合せにより、付帯情報を含む画像データを生成する画像生成装置としての機能が実現される。
【００５４】
患者撮影されたカセッテが画像読取装置３２に挿入されると、当該カセッテのＩＤとなるバーコード情報を読み取り、このカセッテＩＤに対応する撮影部位情報、及び／又は画像処理条件に含まれる読み取りピッチ情報を、画像読取装置３２が得て、読み取りピッチを切り替え、画像データを読み取る。
【００５５】
画像記録装置１０は、画像読取装置３１，３２を含む画像生成装置からの画像データを受信して、当該画像データを記録媒体に記録する。図２に示すように、画像記録装置１０は、各部を中央制御するＣＰＵ１１と、操作者の操作入力を受付ける操作部１２と、データを一時的に格納するＲＡＭ１３と、データを表示する表示部１４と、データを記憶する記憶部１５と、外部機器との通信を行う通信部１６と、画像データを記録媒体に記録する画像記録部１７とを備えて構成され、各部がバス１８により接続される。
【００５６】
ＣＰＵ１１は、記憶部１５に記憶されている各種プログラムの中から指定されたプログラムを読み出してＲＡＭ１３のワークエリアに展開し、ＲＡＭ１３上のプログラムとの協働により各種制御を実行する。この構成における各種制御の主体を制御部１１１とする。また、制御部１１１は、設定部、決定部及びモード設定部の機能も有する。
【００５７】
操作部１２は、数字キーや各種機能キーを備える。そして、これらのキーが押下された場合には、当該押下信号をＣＰＵ１１へ出力する。なお、この操作部１２は、表示部１４と一体となったタッチパネルにより構成されることとしてもよい。表示部１４は、ＬＣＤ（Liquid Crystal Display）などで構成され、ＣＰＵ１１からの表示信号に従って、画面表示を行う。
【００５８】
ＲＡＭ１３は、プログラムを展開するためのプログラムエリア、操作部１２から入力されるデータやＣＰＵ１１による各種処理結果などを一時保存するためのデータエリアなどが形成される。ＲＡＭ１３は、読み書き可能な半導体素子で構成される。記憶部１５は、ＲＯＭ、ＦＲＯＭ、ＨＤＤ（Hard Disk Drive）などにより構成され、各種プログラムや各種データ、画像データなどを記憶する。本実施の形態において、記憶部１５には、書き込みピッチ設定プログラム及び第１の画像記録プログラムが記憶される。
【００５９】
通信部１６は、ネットワークバス５０と接続され、ネットワークバス５０を含む通信ネットワーク上の外部機器と通信をするネットワークカードなどにより構成される。通信ネットワークには、ＲＩＳ／ＨＩＳ４０が接続されるが、他のＬＡＮ（Local Area Network）、ＷＡＮ（Wide Area Network）などを含む構成でもよい。
【００６０】
画像記録部１７は、通信部１６を介して画像生成装置から受信された画像データを、光熱銀塩方式で、書き込みピッチ２５［μｍ］又は４３．７５［μｍ］により記録媒体上に記録する。高精細が要求されるマンモ画像には、書き込みピッチ２５［μｍ］により画像記録し、一般撮影画像には、書き込みピッチ４３．７５［μｍ］により画像記録する。
【００６１】
また、画像記録部１７は、複数種類（サイズ、記録可能濃度範囲）の記録媒体を別々に記録するための複数のトレイを設け、記録する書き込みピッチに応じて、記録先のトレイを切り替えて記録する構成としてもよい。
【００６２】
ここで、読み取りピッチに応じて設定される最適な書き込みピッチについて説明する。まず、図３を参照して、読み取りピッチと書き込みピッチとの組み合わせに応じた補間倍率の関係を説明する。図３に、読み取りピッチと書き込みピッチとの組み合わせに応じた補間倍率の関係を示す。
【００６３】
上記で説明したように、画像生成装置の種別に応じて読み取りピッチは、８７．５［μｍ］（ＣＴ，ＭＲＩ，立位撮影ＣＲ）、５０［μｍ］（マンモグラフィ）の２種があり、書き込みピッチは、４３．７５［μｍ］、２５［μｍ］の２種があるものとする。まず、読み取りピッチが８７．５［μｍ］で、書き込みピッチが４３．７５［μｍ］である場合、補間倍率は、２．０倍であり、読み取りピッチが５０［μｍ］で、書き込みピッチが４３．７５［μｍ］の場合、補間倍率は、１．１倍となる。また、読み取りピッチが８７．５［μｍ］で、書き込みピッチが２５［μｍ］の場合、補間倍率は３．５倍であり、読み取りピッチが５０［μｍ］で、書き込みピッチが２５［μｍ］である場合、補間倍率は２．０倍となる。
【００６４】
ここで、補間倍率が整数倍となる場合、補間前画像信号と、補間後画像信号とにおけるデータの劣化を最小に抑えることができる。また、補間倍率が非整数倍の場合、補間倍率が高いほど情報の劣化を低減させることができ、少なくとも１．８倍以上であれば、データの劣化を抑えた医用画像を再現することができる。従って、図３に示すように、補間倍率が２．０倍となる読み取りピッチと書き込みピッチとの関係が最も好適であり、次いで、補間倍率が３．５倍となる関係が好ましく、補間倍率が１．１倍となる関係は、データの劣化が大きいものとなる。この結果、読み取りピッチが８７．５［μｍ］の医用画像については、書き込みピッチを４３．７５［μｍ］とすることにより、好適な補間処理を行うことができ、読み取りピッチが５０［μｍ］の医用画像については、書き込みピッチを２５［μｍ］とすることにより、好適な補間処理を行うことができる。
【００６５】
また、読み取りピッチが８７．５［μｍ］であるＣＴ，ＭＲＩ，ＣＲなどの装置は、２５［μｍ］でも画像形成可能であるが、画像処理に時間を要するので処理能力が低下する。一方、読み取りピッチが５０［μｍ］のマンモグラフィは、診断上高精細が要望されるので、書き込みピッチの細かさが要求される。
【００６６】
次に、図４及び図５を参照して、医用画像記録システム１００の画像記録装置１０の動作を説明する。図４に、書き込みピッチ設定処理を示す。図５に、第１の画像記録処理を示す。
【００６７】
先ず、図４を参照して、画像生成装置の種別に対応する書き込みピッチを設定する書き込みピッチ設定処理を説明する。画像生成装置２１，２２，２３，画像読取装置３１では、それぞれ固有の読み取りピッチにより画像データが読み取られる。また簡単のため、本実施の形態においては、画像読取装置３２には、マンモ撮影のカセッテの画像データのみが入力されるものとし、マンモ画像読み取り用の読み取りピッチで画像データが読み取られる。そして、各読み取りピッチに最適な書き込みピッチが、画像記録装置１０で記録可能な複数の書き込みピッチから設定される。
【００６８】
画像記録装置１０において、操作者により操作部１２から書き込みピッチ設定処理実行開始の旨が入力されたことをトリガとして、ＣＰＵ１１は、記憶部１５に記憶された書き込みピッチ設定プログラムを読み出してＲＡＭ１３に展開し、ＲＡＭ１３に展開された書き込みピッチ設定プログラムとＣＰＵ１１との協働により書き込みピッチ設定処理が実行される。以下、各ステップの処理の主体は、特に言及しない限り制御部１１１であるものとし、後述する処理でも同様であるものとする。
【００６９】
図４に示すように、先ず、操作者により操作部１２を介して入力される、各画像生成装置の種別と、これに関連付けられた書き込みピッチとの情報を受け付ける（ステップＳ１１）。本実施の形態では、例えば、一般撮影画像用の読み取りピッチが８７．５［μｍ］である画像生成装置２１，２２，画像読取装置３１に、一般撮影画像記録用の書き込みピッチ４３．７５［μｍ］が関連付けられ、マンモ画像用の読み取りピッチが５０［μｍ］である画像生成装置２３，画像読取装置３２に、マンモ画像記録用の書き込みピッチ２５［μｍ］が関連付けられる。
【００７０】
これは、記録画像の用途、撮影条件が、マンモ撮影（画像）に対応するか否かに基づいて関連付けられる構成である。
また、画像生成装置の読み取りピッチ、画像記録装置の書き込みピッチ、入力する画像から記録する画像への補間倍率などに基づいて、画像記録時の画質劣化が少なくなるような好適な画像生成装置と書き込みピッチとの組合せが関連付けられる構成としてもよい。
【００７１】
そして、ステップＳ１１において入力された画像生成装置の種別と、これに関連付けられた書き込みピッチとが書き込みピッチ情報として作成される（ステップＳ１２）。そして、作成された書き込みピッチ情報が記憶部１５に記憶され（ステップＳ１３）、書き込みピッチ設定処理が終了される。
【００７２】
次いで、図５を参照して、画像記録装置１０において、各画像生成装置により入力された画像データを記録媒体に記録する第１の画像記録処理を説明する。画像記録装置１０において、操作者により操作部１２から第１の画像記録処理実行開始の旨が入力されたことをトリガとして、ＣＰＵ１１は、記憶部１５に記憶された第１の画像記録プログラムを読み出してＲＡＭ１３に展開し、ＲＡＭ１３に展開された第１の画像記録プログラムとＣＰＵ１１との協働により第１の画像記録処理が実行される。
【００７３】
予め、画像生成装置２１，２２（とＤＩＣＯＭ変換部２４），２３，画像読取装置３１又は３２において、患者の患部が撮影されて、当該画像生成装置により固有の読み取りピッチにより画像データが読み取られて、当該画像生成装置の種別を含む付帯情報が画像データに付加され、当該付帯情報を含む画像データが、ネットワークバス５０を介して画像記録装置１０に送信される。
【００７４】
先ず、ネットワークバス５０及び通信部１６を介して、画像データが入力された画像生成装置から当該画像データを受信する（ステップＳ２１）。そして、操作者により操作部１２を介して入力される書き込みピッチ変更モード又は書き込みピッチ不変モードの設定情報が受け付けられ、当該設定情報に基づいて書き込みピッチ変更モード又は書き込みピッチ不変モードが設定される（ステップＳ２２）。書き込みピッチ変更モードは、画像生成装置の種別に応じて書き込みピッチを変更するモードであり、書き込みピッチ不変モードは、画像生成装置の種別によらず書き込みピッチを一定にするモードである。例えば、記憶部１５内にいずれかのモードを示すフラグが記憶され、当該フラグのオン／オフによりモードが設定される。本実施の形態では、書き込みピッチ不変モードでは、書き込みピッチを一律に高精細の２５［μｍ］とするが、これに限るものではない。画像処理負担低減のため４３．７５［μｍ］としてもよい。
【００７５】
そして、ステップＳ２２において設定されたモードが書き込みピッチ変更モードであるか否かが判別される（ステップＳ２３）。書き込みピッチ変更モードである場合（ステップＳ２３；ＹＥＳ）、記憶部１５に記憶された書き込みピッチ情報が読み出されて取得され、また、ステップＳ２１において受信された画像データの付帯情報が読み出されて、当該付帯情報中の画像生成装置の種別が取得される（ステップＳ２４）。
【００７６】
そして、書き込みピッチ情報に基づいて、付帯情報内の画像生成装置の種別に対応する書き込みピッチが決定される（ステップＳ２５）。そして、ステップＳ２５において決定された書き込みピッチが４３．７５［μｍ］であるか否かが判別される（ステップＳ２６）。書き込みピッチが４３．７５［μｍ］である場合（ステップＳ２６；ＹＥＳ）、ステップＳ２１において受信された画像データが、画像記録部１７で書き込みピッチ４３．７５［μｍ］により補間されて記録媒体上に記録されるとともに、当該書き込みピッチの値（４３．７５［μｍ］）が記録媒体上に記録され（ステップＳ２７）、第１の画像記録処理が終了される。
【００７７】
書き込みピッチが４３．７５［μｍ］でない場合（ステップＳ２６；ＮＯ）、書き込みピッチが２５［μｍ］であり、ステップＳ２１において受信された画像データが、画像記録部１７で書き込みピッチ２５［μｍ］により補間されて記録媒体上に記録されるとともに、当該書き込みピッチの値（２５［μｍ］）が記録媒体上に記録され（ステップＳ２８）、第１の画像記録処理が終了される。書き込みピッチ変更モードでない場合（ステップＳ２３；ＮＯ）、書き込みピッチ不変モードであり、ステップＳ２８に移行される。
【００７８】
以上、本実施の形態によれば、書き込みピッチ情報と、記録対象の画像データを生成した画像生成装置の種別とに基づいて当該画像データの画像記録に用いる書き込みピッチを決定して、当該書き込みピッチにより記録対象の画像データを補間して画像記録するので、複数の書き込みピッチのうちの画像生成装置の種別に応じた好適な書き込みピッチにより画質劣化を低減して画像データを画像記録することができる。
【００７９】
また、書き込みピッチ情報を記憶部１５に記憶するので、書き込みピッチ情報の作成及び変更の負担を軽減することができる。
また、書き込みピッチ変更モード又は書き込みピッチ不変モードを設定するので、画像生成装置の種別に対応する場合と対応しない場合との両方で多様に画像データの画像記録に用いる書き込みピッチを決定できる。
【００８０】
また、画像データとともに当該画像データの画像記録に用いる書き込みピッチを記録媒体に記録するので、記録媒体上の記録画像の観察者が読み取りピッチを確認することができる。例えば、技師は、誤った書き込みピッチにより記録された医用画像を速やかに発見することができる。また、医師は、医用画像を診断する際の参考にすることができる。
また、光熱銀塩方式により画像データを記録媒体に記録するので、診断に耐えうる医用画像を記録することができる。
また、画像読取装置を含む画像生成装置と画像記録装置とが、ネットワークを介して接続されているので、好適かつ多様な通信接続構成をとることができる。
【００８１】
以下の説明は、本実施の形態についてのものであるが、後述する第２の実施の形態でも同様である。
【００８２】
本実施の形態の画像記録装置は、一般撮影画像及びマンモ画像に対応する２種類の書き込みピッチが切り替え可能な構成であったが、これに限るものではなく、２種類以上の書き込みピッチが切り替え可能な構成であればよい。また、書き込みピッチが３種類以上の場合に特に好ましい。例えば、本実施の形態のように、書き込みピッチが２５［μｍ］，４３．７５［μｍ］の２種類の場合には、読み取りピッチが２５［μｍ］，４３．７５［μｍ］の整数倍の場合に画質劣化を大幅に低減する補間が可能であるが、切り替え可能な書き込みピッチが例えば３０［μｍ］，４０［μｍ］，５０［μｍ］の３種類の場合には、３０［μｍ］，４０［μｍ］，５０［μｍ］の整数倍となるような、より多くの読み取りピッチに対して画質劣化を低減する補間が可能である。
【００８３】
よって、記録画像部１７の切り替え可能な書き込みピッチの種類を少なくとも２種、より好ましくは３種以上にすることにより、広範囲な読み取りピッチの医用画像に対して、好適な書き込みピッチを選択して高画質な医用画像を生成することができる。これにより、種々の画像生成装置を備えた汎用性の高い医用画像記録システムにも対応することができる。書き込みピッチが２種の場合においても十分な効果があるが、書き込みピッチが３種以上では最小書き込みピッチが適さない読み取りピッチのうちかなりの範囲を他の書き込みピッチで補完できることから好ましい。更に、書き込みピッチが４種以上では最小書き込みピッチが適さない読み取りピッチのうち殆どの範囲を他の書き込みピッチで補完できることから一層好ましい。
【００８４】
また、入力する画像から記録する画像への補間倍率に基づいて書き込みピッチを決定する構成でもよい。例えば、補間倍率Ｒが１．８以上の場合には画質の劣化が問題にならないが、１．８より小さい場合、０．９５≦Ｒ≦１．０５において画質が劣化せずに好ましく、１．０５＜Ｒ＜１．８において画質が劣化して好ましくない。この画質が劣化しない範囲の補間倍率に対応する書き込みピッチにおいて補間する構成が好ましい。
【００８５】
また、ｎ個の書き込みピッチを、Ｐ１＜Ｐ２＜…＜Ｐｎ（ｎ≧２）と表した場合に、Ｐｉ（ｉ＝２，３，…，ｎ）のうちの少なくとも１つにおいて、１．０＜（Ｐｉ ／Ｐ１）＜１．９とすれば、画質劣化を低減して補間を行うことができて好ましい。１．１＜（Ｐｉ ／Ｐ１）＜１．８とすれば、補間倍率範囲を重複することなく画質劣化を低減して補間を行うことができてさらに好ましい。
【００８６】
また、本実施の形態では、１つの画像生成装置の種別に対応して１種類の書き込みピッチを設定する構成であったが、１つの画像生成装置の種別に複数種類の書き込みピッチを設定可能な構成としてもよい。この場合、所定の１つの画像生成装置に対して、画像生成装置の種別のみから、どの書き込みピッチを用いるかを決定することができないため、画像生成装置の種別以外の他の情報に基づいて、記録する書き込みピッチを決定する。
【００８７】
他の情報とは、書き込みピッチを決定するための情報であり、例えば、被写体の撮影部位などの撮影条件の情報、画像データの用途を示す情報、画像データを生成した画像生成装置の読み取りピッチ情報、画像読み取りから画像記録への補間倍率などであり、付帯情報に含めるようにしてもよい。また、１つの画像生成装置の種別に複数種類の書き込みピッチを設定可能な構成において、マンモ画像の書き込みピッチと、一般撮影画像の書き込みピッチとを分ける場合、撮影画像がマンモ画像であるか否かを示す情報が得られればよく、他の情報としては、例えば、撮影部位が乳房を示すか否かを示す情報、用途がマンモ画像記録か否かを示す情報、画像生成装置の読み取りピッチ、補間倍率がマンモ撮影に対応しているか否かを示す情報などとしてもよい。
【００８８】
また、本実施の形態においては、画像読み取り装置３２が８７．５［μｍ］の読み取りピッチで読み取り可能な構成を説明したが、これに限るものではない。例えば、画像読取装置３２が８７．５［μｍ］又は５０［μｍ］の両読み取りピッチで読み取り可能な構成とし、読み取り装置３２に対応する書き込みピッチを２５［μｍ］又は４３．７５［μｍ］に設定する構成としてもよい。具体的には、付帯情報に含まれる読み取りピッチ情報を、
読み取りピッチ８７．５［μｍ］→書き込みピッチ４３．７５［μｍ］
読み取りピッチ５０［μｍ］→書き込みピッチ２５［μｍ］
とする。あるいは、付帯情報に含まれる撮影部位などの撮影条件情報などにマンモ撮影関連情報が含まれている場合に、書き込みピッチとして２５［μｍ］を使用し、含まれない場合に８７．５を使用する構成としてもよい。
【００８９】
（第２の実施の形態）
図６を参照して、本発明に係る第２の実施の形態を説明する。図６に、第２の画像記録処理を示す。本実施の形態の装置構成は、第１の実施の形態の図１及び図２の医用画像記録システム１００及び画像記録装置１０の装置構成と同様であり、説明の重複を避けるため、異なる部分を主として説明する。
【００９０】
本実施の形態の画像生成装置２１，２２（とＤＩＣＯＭ変換部２４），２３，３１又は３２において、撮影された画像データに付加される付帯情報には、少なくとも、当該画像データの画像記録時に用いる書き込みピッチに関連する情報が含まれる。例えば、被写体の撮影部位などの撮影条件を示す撮影条件情報、画像データの用途を示す情報、画像データを生成した画像生成装置の読み取りピッチ情報、画像読み取りから画像記録への補間倍率などである。また、１つの画像生成装置の種別に複数種類の書き込みピッチを設定可能な構成において、マンモ画像の書き込みピッチと、一般撮影画像の書き込みピッチとを分ける場合、付帯情報は、撮影画像がマンモ画像であるか否かを示す情報が含まれればよく、例えば、撮影部位が乳房を示すか否かを示す情報、用途がマンモ画像記録か否かを示す情報、画像生成装置の読み取りピッチ、補間倍率がマンモ撮影に対応しているか否かを示す情報などとしてもよい。
【００９１】
また、本実施の形態において、記憶部１５には、第２の画像記録プログラムが記憶される。
また、画像読取装置３２は、読み取りピッチ５０［μｍ］又は１００［μｍ］により画像データを読み取る構成である。
【００９２】
次に、図６を参照して、本実施の形態における医用画像記録システム１００の画像記録装置１０における動作を説明する。画像記録装置１０において、各画像生成装置により入力された画像データを記録媒体に記録する第２の画像記録処理を説明する。画像記録装置１０において、操作者により操作部１２から第２の画像記録処理実行開始の旨が入力されたことをトリガとして、ＣＰＵ１１は、記憶部１５に記憶された第２の画像記録プログラムを読み出してＲＡＭ１３に展開し、ＲＡＭ１３に展開された第２の画像記録プログラムとＣＰＵ１１との協働により第２の画像記録処理が実行される。
【００９３】
予め、画像生成装置２１，２２（とＤＩＣＯＭ変換部２４），２３，画像読取装置３１又は３２において、患者の患部が撮影されて、当該画像生成装置により固有の読み取りピッチにより画像データが読み取られて、付帯情報が画像データに付加され、当該付帯情報を含む画像データが、ネットワークバス５０を介して画像記録装置１０に送信される。
【００９４】
先ず、ネットワークバス５０及び通信部１６を介して、画像データが入力された画像生成装置から当該画像データを受信する（ステップＳ３１）。そして、操作者により操作部１２を介して入力される書き込みピッチ変更モード又は書き込みピッチ不変モードの設定情報が受け付けられ、当該設定情報に基づいて書き込みピッチ変更モード又は書き込みピッチ不変モードが設定される（ステップＳ３２）。書き込みピッチ変更モードは、付帯情報に応じて当該画像データの画像記録に用いる書き込みピッチを変更するモードであり、書き込みピッチ不変モードは、付帯情報によらず書き込みピッチを一定にするモードである。例えば、記憶部１５内にいずれかのモードを示すフラグが記憶され、当該フラグのオン／オフによりモードが設定される。本実施の形態では、書き込みピッチ不変モードでは、書き込みピッチを一律に高精細の２５［μｍ］とするが、これに限るものではない。
【００９５】
そして、ステップＳ３２において設定されたモードが書き込みピッチ変更モードであるか否かが判別される（ステップＳ３３）。書き込みピッチ変更モードである場合（ステップＳ３３；ＹＥＳ）、ステップＳ３１において受信された画像データの付帯情報が読み出されて取得される（ステップＳ３４）。
【００９６】
そして、付帯情報に基づいて、画像データの画像記録に用いる書き込みピッチが決定される（ステップＳ３５）。そして、ステップＳ３５において決定された書き込みピッチが４３．７５［μｍ］であるか否かが判別される（ステップＳ３６）。書き込みピッチが４３．７５［μｍ］である場合（ステップＳ３６；ＹＥＳ）、ステップＳ３１において受信された画像データが、画像記録部１７で書き込みピッチ４３．７５［μｍ］により補間されて記録媒体上に記録されるともに、当該書き込みピッチの値（４３．７５［μｍ］）が記録媒体上に記録され（ステップＳ３７）、第２の画像記録処理が終了される。
【００９７】
書き込みピッチが４３．７５［μｍ］でない場合（ステップＳ３６；ＮＯ）、書き込みピッチが２５［μｍ］であり、ステップＳ３１において受信された画像データが、画像記録部１７で書き込みピッチ２５［μｍ］により補間されて記録媒体上に記録されるとともに、当該書き込みピッチの値（２５［μｍ］）が記録媒体上に記録され（ステップＳ３８）、第２の画像記録処理が終了される。書き込みピッチ変更モードでない場合（ステップＳ３３；ＮＯ）、ステップＳ３８に移行される。
【００９８】
以上、本実施の形態によれば、付帯情報に基づいて複数の書き込みピッチのなかから画像データの画像記録に用いる書き込みピッチを決定して、当該書き込みピッチにより記録対象の画像データを補間して画像記録するので、付帯情報に応じて、複数の書き込みピッチのうちの好適な書き込みピッチにより画質劣化を低減して画像データを記録することができる。
【００９９】
また、付帯情報が撮影条件情報と、画像データの用途を示す情報と、画像生成装置の読み取りピッチ情報と、画像読み取りから画像記録への補間倍率情報とのうちの少なくとも一つを含むとすれば、撮影条件、画像データの用途、読み取りピッチ、補間倍率のうちの少なくとも一つに応じた好適な書き込みピッチを決定できる。
【０１００】
また、書き込みピッチ変更モード又は書き込みピッチ不変モードを設定するので、付帯情報に対応する場合と対応しない場合との両方で多様に画像データの画像記録に用いる書き込みピッチを決定できる。
【０１０１】
なお、以上の各実施の形態における記述は、本発明に係る好適な画像記録装置の一例であり、これに限定されるものではない。上記実施の形態で用いた読み取りピッチ及び書き込みピッチの値は一例であり、上記の値に限られるものではない。
【０１０２】
上記各実施の形態では、画像生成装置としてＣＴ装置、ＣＲ装置、ＭＲＩ装置を用いたが、これに限るものではなく、ＦＰＤなどの他の方式の患部画像生成装置を用いてもよい。
また、上記各実施の形態では、画像記録装置の画像記録部に光熱銀塩方式のものを用いたが、これに限るものではなく、サーマルヘッドやヒートモードレーザを用いる感熱記録方式、感光性熱現象記録材料や感光熱記録材料を用いる感光熱発色画像記録方式などの他の方式により画像記録を行う構成でもよい。
また、画像生成装置で生成された画像データを画像記録装置に入力するには、通信ネットワークを介して送信する構成だけでなく、画像生成装置で生成された画像データを一旦情報記録媒体に記憶し、当該情報記録媒体を介して画像データを画像記録装置に入力する構成でもよい。
【図面の簡単な説明】
【０１０３】
【図１】本発明に係る第１の実施の形態の医用画像記録システム１００のブロック構成図である。
【図２】画像記録装置１０の内部のブロック構成図である。
【図３】読み取りピッチと書き込みピッチとの組み合わせに応じた補間倍率の関係を示す図である。
【図４】書き込みピッチ設定処理を示すフローチャートである。
【図５】第１の画像記録処理を示すフローチャートである。
【図６】第２の画像記録処理を示すフローチャートである。
【符号の説明】
【０１０４】
１００  医用画像記録システム
１０  画像記録装置
１１  ＣＰＵ
１１１  制御部
１２  操作部
１３  ＲＡＭ
１４  表示部
１５  記憶部
１６  通信部
１７  画像記録部
１８  バス
２１，２２，２３  画像生成装置
３１，３２  画像読取装置
２４  ＤＩＣＯＭ変換部
３０  ＣＲネットワーク部
３３  ＪＯＢマネージャ
３４  ＷＳ
３５，５０  ネットワークバス
４０  ＲＩＳ／ＨＩＳ
【図１】
2005074843.tif 000003
【図２】
2005074843.tif 000004
【図３】
2005074843.tif 000005
【図４】
2005074843.tif 000006
【図５】
2005074843.tif 000007
【図６】
2005074843.tif 000008